(57)【特許請求の範囲】
【請求項１】
係合金具として二枚の穴付板を用いたジャッキを、回転工具により昇降させるのに用いるソケットであって、
一端に前記回転工具に接続するための工具接続部を、他端に前記二枚の穴付板の隙間に挿入可能な係合部材を備えるソケット本体を有し、
前記係合部材が、前記二枚の穴付板との摺動面の少なくとも一方に、進退自在に設けられた複数の球体を有していることを特徴とするジャッキ駆動用ソケット。
【請求項２】
前記球体が、前記回転工具の回転軸に垂直な方向に複数並べて設けられていることを特徴とする請求項１に記載のジャッキ駆動用ソケット。
【請求項３】
前記工具接続部が、六角軸ビットを有することを特徴とする請求項１または２に記載のジャッキ駆動用ソケット。
【請求項４】
前記工具接続部が、回転軸が四角軸である回転工具の該四角軸に係合可能な四角穴を有することを特徴とする請求項１から３までのいずれかに記載のジャッキ駆動用ソケット。
【請求項５】
さらに、一端に前記四角穴に係合可能な四角軸を、他端に六角軸ビットを有するアタッチメントを有することを特徴とする請求項４に記載のジャッキ駆動用ソケット。
【発明の詳細な説明】
【技術分野】
【０００１】
本発明は、ジャッキ駆動用ソケットに係り、特に、インパクトレンチ、インパクトドライバなどの回転工具に接続され、回転工具の動力で自動車の車載工具であるジャッキを昇降させるソケットに関する。
【背景技術】
【０００２】
ジャッキには、例えば、図１に示すような、パンタグラフ型のジャッキ９が用いられる。ジャッキ９は、土台１と、土台１に回動自在に取り付けられたアーム２ａ、２ｂと、アーム２ａ、２ｂの上部に取り付けられたヘッド３と、シャフト４と、二枚の穴付板からなる係合金具５とを有し、車載工具のジャッキロッド（図示省略）によって係合金具５を回転させることによりヘッド３の位置を昇降させるものである。
【０００３】
しかし、車載工具を用いてジャッキアップ作業を手動で行うには、強い力を要するし、タイヤ交換に長時間を要する。このため、動力を用いてジャッキアップ作業を行う発明が提案されている。
【０００４】
例えば、特許文献１には、電動モータの駆動力によりジャッキの昇降を行う発明が提案されている。特許文献２、３および４には、ジャッキの係合金具を両側から挟み込み、蝶ボルトなどで固定して回転工具に接続し、回転工具によって係合金具を回転させることによりジャッキの昇降を行う発明が提案されている。特許文献５および６には、棒の先端部に互いに反平行に突出した二本のピンを、係合金具を構成する二枚の穴付板のそれぞれの穴に挿入し、該棒を回転工具に接続し、回転させることによりジャッキの昇降を行う発明が提案されている。特許文献７には、ジャッキの連結桿の外郭に係合する係合部、ガイド部、連結部を有するジャッキ駆動用ソケットに関する発明が提案されている。特許文献８には、ジャッキの係合金具を、トルクアーム、ジャッキホルダおよび連結金具を介して回転工具に接続するジャッキ用動力装置に関する発明が提案されている。
【先行技術文献】
【特許文献】
【０００５】
【特許文献１】特開２０００−１７７９９６号公報
【特許文献２】特開平９−７１３９３号公報
【特許文献３】特開平９−７１３９４号公報
【特許文献４】実開昭６２−６３２９０号公報
【特許文献５】実公昭６１−１７９９７号公報
【特許文献６】特開平９−１３６２６８号公報
【特許文献７】特開平３−１１１３９８号公報
【特許文献８】登録実用新案第３０１３３５８号公報
【発明の概要】
【発明が解決しようとする課題】
【０００６】
特許文献１の発明のように、電動モータをジャッキに取り付けた構成では、車載工具の一つであるジャッキ（通常は、パンタグラフジャッキ）とは、別のジャッキを用意することを前提とするものであり、車載のジャッキが無駄になる。
【０００７】
特許文献２、３および４の発明によれば、車載のジャッキをそのまま使用することができるが、この構成では、係合金具を両側から挟み込んだのち、手動で蝶ボルトを回して固定する必要があり、作業性が悪い。
【０００８】
特許文献５および６の発明のように、ピンを係合金具の穴に差し込んで回す構成では、回転工具の回転軸と、係合金具の回転軸とにずれが生じると、ピンが穴から外れ、ジャッキアップ作業を中断せざるを得ない場合がある。
【０００９】
特許文献７で提案されているソケットは、内部に設ける必要がある係合部の形状が複雑であり、部品点数が多い。このため、製造コストが上昇し、また、係合部の固着は接着剤などに頼らざるを得ず、長期間の使用に耐えうるものではないことが予想されるため、実用化は困難である。
【００１０】
特許文献８の発明のように、ジャッキの係合金具と回転工具との間に三つもの部材が存在すると、製造コストが上昇するとともに、それぞれの部材の取り付け、取り外しなどに多大な時間を費やし、また、三つの部材の一つでも紛失すると使えなくなってしまうという問題がある。
【００１１】
本発明は、従来技術の課題を解決するためになされたものであり、係合金具との脱着が容易である反面、一旦、係合金具に係合させると脱落しにくいジャッキ駆動用ソケットを提供することを目的とする。
【課題を解決するための手段】
【００１２】
前掲の特許文献７などに記載されるように、車載ジャッキの係合金具には、ほぼ中央部に穴が形成されている穴付板を２枚用いたものと、該穴付板を１枚用いたものがある。本発明者らは、穴付板を２枚用いた係合金具を前提として、インパクトレンチなどの回転工具に接続して用いることが可能であり、かつ、係合金具との脱着が容易である反面、一旦、係合金具に係合させると脱落しにくい車載ジャッキ駆動用ソケットについて鋭意研究を行った結果、本発明を完成させた。
【００１３】
本発明は、下記の（１）〜（５）のジャッキ駆動用ソケットを要旨とする。
【００１４】
（１）係合金具として二枚の穴付板を用いたジャッキを、回転工具により昇降させるのに用いるソケットであって、一端に前記回転工具に接続するための工具接続部を、他端に前記二枚の穴付板の隙間に挿入可能な係合部材を備えるソケット本体を有し、前記係合部材が、前記二枚の穴付板との摺動面の少なくとも一方に、進退自在に設けられた複数の球体を有しているジャッキ駆動用ソケット。
【００１６】
（２）前記球体が、前記回転工具の回転軸に垂直な方向に複数並べて設けられている上記（１）のジャッキ駆動用ソケット。
【００１７】
（３）前記工具接続部が、六角軸ビットを有する上記（１）または（２）に記載のジャッキ駆動用ソケット。
【００１８】
（４）前記工具接続部が、回転軸が四角軸である回転工具の該四角軸に係合可能な四角穴を有する上記（１）〜（３）いずれかに記載のジャッキ駆動用ソケット。
【００１９】
（５）さらに、一端に前記四角穴に係合可能な四角軸を、他端に六角軸ビットを有するアタッチメントを有する上記（４）のジャッキ駆動用ソケット。
【発明の効果】
【００２０】
本発明によれば、係合金具との脱着が容易である反面、一旦、係合金具に係合した後は、脱落しにくく、回転工具の回転軸と、係合金具の回転軸とのずれを防止できる。また、本発明に寄れば、工具としての寿命が長く、また、係合穴部に関する部品点数が少ないため、安いコストでジャッキ駆動用ソケットを製造することが可能である。本発明の好ましい実施形態によれば、四角軸からなるジャックを有する回転工具にも、六角穴からなるジャックを有する回転工具にも、ジャッキ駆動用ソケットを接続することができる。
【図面の簡単な説明】
【００２１】
【図１】通常の車載ジャッキの例を示す図
【図２】本発明に係るジャッキ駆動用ソケットの例の外観を示す図                        （ａ）上面図                                                                （ｂ）右側面図                                                              （ｃ）正面図
【図３】本発明に係るジャッキ駆動用ソケットの使用例を示す上面図                      （ａ）係合前の状態                                                          （ｂ）係合後の状態
【図４】本発明に係るジャッキ駆動用ソケットの使用例を示す正面図                      （ａ）係合前の状態                                                          （ｂ）係合後の状態
【図５】本発明に係るアタッチメントの例を示す図                                      （ａ）正面図                                                                （ｂ）側面図
【発明を実施するための形態】
【００２２】
図２に示すように、本発明に係るジャッキ駆動用ソケット２０は、係合金具５として二枚の穴付板５ａ、５ｂを用いたジャッキを、回転工具（図示省略）により昇降させるのに用いるソケットである。本発明に係るジャッキ駆動用ソケット２０は、一端に回転工具（図示省略）に接続するための工具接続部１０を、他端に他端に前記二枚の穴付板の隙間に挿入可能な係合部材１１を備えるソケット本体１３を有する。そして、二枚の穴付板との摺動面１４ａ、１４ｂの少なくとも一方に、進退自在に設けられた球体１１ａを有している。
【００２３】
図３および４に示すように、本発明に係るジャッキ駆動用ソケット２０を、その工具接続部１０を介して回転工具（図示省略）に接続し、係合部材１１を二枚の穴付板５ａ、５ｂの隙間に挿入する。球体１１ａは、常時内部に設置されたバネにより付勢されており、摺動面（図４に示す例では１４ａ）から突出した状態となっている。そして、球体１１ａは、穴付板５ａ、５ｂを係合部材１１に摺動させるときには、内部に押し込まれた状態となるが、穴５ｃの位置まで挿入されると、突出した状態になり、穴付板５ａ、５ｂのぐらつきを規制するので、回転工具の回転軸と、係合金具の回転軸とのずれを防止できる。また、ジャッキアップ中に係合金具５からソケット２０が外れるのを防止することが可能となる。また、本発明に係るジャッキ駆動用ソケット２０を強く引っ張れば、球体１１ａが穴５ｃの側面により押し込まれるので、係合金具５から容易に取り外すことが可能である。
【００２４】
球体１１ａの突出高さ（係合部材１１の摺動面１４ａと、球体１１ａの突出部分の頂点との距離）は、二枚の穴付板５ａ、５ｂの間隔（ａ）と、係合部材１１の厚さ（ｂ）とのクリアランス（ａ−ｂ）より大きければよい。球体１１ａの突出高さは、特に、２（ａ−ｂ）以上であることが好ましい。
【００２５】
球体１１ａは、係合部材１１の摺動面１４ａ、１４ｂに複数設けられていることが好ましい。この場合、球体が設けられるのは、摺動面の一方のみでもよいし、両面でもよい。ただし、作業性の観点からは、摺動面の一方に複数に設けられていることが好ましい。球体１１ａは、回転工具の回転軸（すなわち、ソケット本体の回転軸）に垂直な方向に複数並べて設けられていることが好ましい。これは、係合金具の回転軸の垂直方向へのずれを防止しやすくするためである。
【００２６】
特に、図３に示すように、摺動面の一方に、回転工具の回転軸に垂直な方向に二つの球体が並べて設けられていることが好ましい。球体１１ａ同士の間隔は、特に制約がないが、図３に示すように、二つの球体１１ａの最も離れている点間の距離が、係合金具の穴５ｃの内径と一致するように設けることが好ましい。
【００２７】
本発明に係るジャッキ駆動用ソケット２０は、係合金具５に取り付けられた後、厚板形状の係合部材１１によって回転が加えられる構成となっているので、係合部材１１に破損が生じにくく、工具としての寿命が長い。また、係合部材１１に関する部品点数が少ないため、安いコストでジャッキ駆動用ソケットを製造することが可能である。
【００２８】
工具接続部１０としては、例えば、図２〜図４に示すように、四角穴１４を有するものを用いることができる。このように四角穴で構成される工具接続部１４を有するジャッキ駆動用ソケットは、インパクトレンチなど、回転軸が四角軸である回転工具を用いてジャッキアップするに際して使用することができる。また、工具接続部１０としては、例えば、六角軸ビットを用いることもできる。六角軸ビットで構成される工具接続部を有するジャッキ駆動用ソケットは、インパクトドライバ、電動ドライバー、電動ドリルなど、アタッチメントの回転軸を六角穴のジャックで係合する構成の回転工具を用いてジャッキアップするに際して使用することができる。
【００２９】
本発明のジャッキ駆動用ソケットにおいては、図５に示すように、一端に四角穴形状の工具接続部（図２の符号１０）に係合可能な四角軸２１を、他端に六角軸ビット２４を有するアタッチメント３０を用いてもよい。このアタッチメント３０の四角軸２１を図２〜４に示すジャッキ駆動用ソケット２０の四角穴形状の工具接続部１０に挿入し、係合させれば、工具接続部を六角軸ビット（図５の符号２４）に変更することができ、インパクトドライバなどの回転工具に接続可能となる。このように、このアタッチメント３０を外せば、工具接続部が四角穴形状であるソケット本体１３（図２参照）と、一端に四角軸２１を、他端に六角軸ビット２４を有するアタッチメント３０（図５参照）とを用意すれば、様々な回転工具に接続可能となる。
【００３０】
なお、四角軸２１の側面には球（図示省略）がある。スリーブ２３は、球２２の固定（突出状態で固定）または自由（出し入れ自在）の切り替えをするものである。スリーブ２３は、常時、バネによって図中左方向に付勢されている。このとき、球２２は、四角軸２１の側面から一部が突出した状態、すなわち、内部に収容不能な状態となっている。スリーブ２３を図中右方向に移動させると、球２２が内部に収容可能となる。このため、スリーブ２３を図中右方向に移動させた状態、すなわち、球２２を内部に収容可能な状態で、四角軸２１を四角穴形状の工具接続部１０内に挿入し、球２２が工具接続部内部の穴（図示省略）に収容された後、スリーブ２３を開放すると、球２２が突出した状態となる。このようにして、アタッチメント３０をジャッキ駆動用ソケット２０ａに係合することができる。穴は、四角穴形状の工具接続部１０内の一つの側面だけでなく、複数の側面に形成されていてもよい。
【産業上の利用可能性】
【００３１】
本発明によれば、係合金具との脱着が容易である反面、一旦、係合金具に係合した後は、脱落しにくく、回転工具の回転軸と、係合金具の回転軸とのずれを防止できる。また、本発明に寄れば、工具としての寿命が長く、また、係合穴部に関する部品点数が少ないため、安いコストでジャッキ駆動用ソケットを製造することが可能である。本発明の好ましい実施形態によれば、四角軸からなるジャックを有する回転工具にも、六角穴からなるジャックを有する回転工具にも、ジャッキ駆動用ソケットを接続することができる。
【符号の説明】
【００３２】
１  土台
２ａ、２ｂ  アーム
３  ヘッド
４  シャフト
５  係合金具
５ａ、５ｂ  穴付板
５ｃ、５ｄ  穴
９  ジャッキ
１０  工具接続部
１１  係合部材
１１ａ  球体
１３  ソケット本体
１４ａ、１４ｂ  摺動面
１５  穴
１６  ねじ回し部
２０  本発明に係るジャッキ駆動用ソケット
２１  四角軸
２２  球
２３  スリーブ
２４  六角軸ビット
３０  アタッチメント
【図１】
0005994076.tif 000002
【図２】
0005994076.tif 000003
【図３】
0005994076.tif 000004
【図４】
0005994076.tif 000005
【図５】
0005994076.tif 000006